(57)【要約】【課題】  主基板に設けられている状態ランプの発光態様を視認困難とすることができる遊技機を提供する。【解決手段】  遊技機は、遊技状況を発光態様により示す発光部（状態ランプ１０ｂ）を有する主基板１０ａと、主基板１０ａを有する本体（筐体１０ｂ）と、本体に対して、主基板１０ａが視認容易な第１位置と、当該第１位置よりも主基板１０ａが視認困難な第２位置とに変移可能に設けられた扉体（前扉１ａ）と、扉体に取り付けられ、所定の演出を実行可能な演出装置（配当表ユニット９）と、を備え、演出装置は、透光領域９２２ａを有する演出部材（透明板ユニット９２）と、演出部材の後方に設けられる後方部材（リフレクタ９１１）と、を有し、透光領域９２２ａは、発光部に対向する位置に配され、後方部材は、開口部ｋと、透光領域９２２ａを介して発光部の発光態様を視認困難とする遮蔽部Ｃｂと、を有する構成としてある。【選択図】      図２２
2018023444.tif 000002
【特許請求の範囲】
【請求項１】
遊技状況を発光態様により示す発光部を有する主基板と、
前記主基板を有する本体と、
前記本体に対して、前記主基板が視認容易な第１位置と、当該第１位置よりも前記主基板が視認困難な第２位置とに変移可能に設けられた扉体と、
前記扉体に取り付けられ、所定の演出を実行可能な演出装置と、を備え、
前記演出装置は、
透光領域を有する演出部材と、
前記演出部材の後方に設けられる後方部材と、を有し、
前記透光領域は、前記発光部に対向する位置に配され、
前記後方部材は、
開口部と、
前記透光領域を介して前記発光部の発光態様を視認困難とする遮蔽部と、を有する
ことを特徴とする遊技機。
【請求項２】
前記後方部材は、
前記発光部に対向して設けられ、前記演出装置による演出の実行を制御可能な演出制御基板を保持するための第１保持部と、
前記開口部に対向して設けられ、前記演出制御基板を保持するための第２保持部と、を有し、
前記遮蔽部は、前記第１保持部に対向して設けられる
ことを特徴とする請求項１に記載の遊技機。
【請求項３】
前記扉体は、前記本体に対し、ヒンジ部材を介して回動可能に設けられ、
前記ヒンジ部材は、
前記本体に設けられる第１ヒンジ部材と、
前記第１ヒンジ部材と回動可能に設けられた第２ヒンジ部材と、
前記演出装置が前記扉体に取り付けられた状態で、前記演出装置と前記第２ヒンジ部材とに取り付け可能な第３ヒンジ部材と、を備えた
ことを特徴とする請求項１又は２に記載の遊技機。
【請求項４】
前記後方部材は、前記透光領域に対して光を照射可能な演出用発光部を備え、
前記演出部材は、
第１透光性部材と、
前記第１透光性部材の後方に配置され、所定の絵柄の表された絵柄表示部材と、
前記絵柄表示部材の後方に配置される第２透光性部材と、を備え、
前記第１透光性部材と前記第２透光性部材とのうち少なくとも一方には、周縁を囲むように立設された透光性部材からなる側壁部が設けられ、
前記側壁部には、前記演出部材を前記後方部材に着脱可能に係止するための透光性部材からなる爪部が設けられ、
前記側壁部及び前記爪部には、前記演出用発光部から照射される光を遮光する遮光領域が形成されている
ことを特徴とする請求項１〜３のいずれか一項に記載の遊技機。
【発明の詳細な説明】
【技術分野】
【０００１】
本発明は、遊技状態を制御する主基板を備えた遊技機に関する。
【背景技術】
【０００２】
一般に、パチンコ機やスロットマシンなどの遊技機には、種々の遊技制御を行う主基板が搭載されている。
このような主基板は、不正防止の観点から筐体の奥側に配置されるところ、さらには、前扉を開いたときに見やすい位置に配置される傾向にある。
例えば、主基板に遊技状態を示すＬＥＤなどの発光部を設ける場合には、発光部を前方に向けて配置するようにしている。
このような遊技機として、例えば、特許文献１には、前扉において、主基板に設けられている発光部に対向する位置に、当該発光部の発光態様を視認可能な光透過部を備えた遊技機が開示されている。
この遊技機によれば、前扉を開かなくても、光透過部を介して発光部の発光態様を視認することで、遊技状況を把握することができる。
【先行技術文献】
【特許文献】
【０００３】
【特許文献１】特開２００８−２６４３７１号公報
【発明の概要】
【発明が解決しようとする課題】
【０００４】
ところが、このような従来の遊技機には、改善の余地があった。
【課題を解決するための手段】
【０００５】
上記課題を解決するため、本発明の遊技機は、遊技状況を発光態様により示す発光部を有する主基板と、主基板を有する本体と、本体に対して、主基板が視認容易な第１位置と、当該第１位置よりも主基板が視認困難な第２位置とに変移可能に設けられた扉体と、扉体に取り付けられ、所定の演出を実行可能な演出装置と、を備え、演出装置は、透光領域を有する演出部材と、演出部材の後方に設けられる後方部材と、を有し、透光領域は、発光部に対向する位置に配され、後方部材は、開口部と、透光領域を介して発光部の発光態様を視認困難とする遮蔽部と、を有する構成としてある。
【図面の簡単な説明】
【０００６】
【図１】遊技機の外観を示す概略正面図である。
【図２】遊技機の外観を示す概略斜視図である。
【図３】遊技機の内部構成を示す概略斜視図である。
【図４】遊技機の制御構成を示すブロック図である。
【図５】上部演出ユニット及び配当表ユニットの外観及び着脱態様を示す図である。
【図６】上部演出ユニットを示す図であり、（ａ）は平面図、（ｂ）は正面図、（ｃ）は底面図、（ｄ）は裏面図、（ｅ）は右側面図、（ｆ）はＡ−Ａ拡大断面図である。
【図７】上部演出ユニットの要部分解図である。
【図８】上部演出ユニットの取付態様を示す図であり、（ａ）は第１状態、（ｂ）は第２状態、（ｃ）は第３状態を示す図である。
【図９】（ａ）は図８（ａ）のＡ−Ａ断面図、（ｂ）は図８（ｂ）のＢ−Ｂ断面図、（ｃ）は図８（ｃ）のＣ−Ｃ断面図である。
【図１０】上部演出ユニットの取付態様を示す模式図であり、（ａ）はスライド前の傾斜状態、（ｂ）は後方の所定位置において傾動する前の状態、（ｃ）は当該所定位置における傾動により取り付けが完了した状態を示す図である。
【図１１】第１壁部の後方に第２壁部が重なっている状態を示す図である。
【図１２】ガイドレールとガイド溝部との関係を示す図であり、（ａ）はガイドレールの一部がガイド溝部に収容された状態、（ｂ）はガイドレールがほぼ全長にわたり収容された状態を示す図である。
【図１３】配当表ユニットを示す図であり、（ａ）は平面図、（ｂ）は正面図、（ｃ）は裏面図、（ｄ）は右側面図である。
【図１４】配当表ユニットにおけるリフレクタユニットの分解斜視図である。
【図１５】配当表ユニットにおける透明板ユニットの分解斜視図である。
【図１６】（ａ）は配当表ユニットの概略断面を示す模式図、（ｂ）は（ａ）の要部（※１部）拡大図、（ｃ）は（ａ）の要部（※２部）拡大図である。
【図１７】透明板ユニットの後部透明板を示す図であり、（ａ）は平面図、（ｂ）は正面図、（ｃ）は右側面図である。
【図１８】（ａ）は図１３（ｃ）のＡ−Ａ断面図であり、（ｂ）は（ａ）の要部（※１部）拡大図である。
【図１９】図１３（ｃ）のＢ−Ｂ断面図である。
【図２０】遊技機の内部構成を示す概略斜視図であり、前扉を開いた状態における主基板の状態ランプと配当表ユニットの位置関係を示す図である。
【図２１】遊技機の側面図であり、前扉を閉じた状態における主基板の状態ランプと配当表ユニットの位置関係を示す図である。
【図２２】（ａ）は状態ランプの発光態様が視認される仕組みを示す模式断面図であり、（ｂ）は図１３（ｃ）のＣ−Ｃ断面図である。
【図２３】ヒンジ部材の分解図である。
【図２４】スライド丁番を示す図であり、（ａ）は正面図、（ｂ）は底面図、（ｃ）は左側面図、（ｄ）は第２ヒンジ部材を開いたときの斜視図、（ｅ）は第２ヒンジ部材を閉じたときの斜視図である。
【図２５】第３ヒンジ部材を示す図であり、（ａ）は平面図、（ｂ）は正面図、（ｃ）は左側面図、（ｄ）は裏面図、（ｅ）は斜視図である。
【図２６】配当表ユニットが取り付けられた状態の前扉を後方から見た図である。
【図２７】図２６において、第２ヒンジ部材が取り付けられた状態を示す図である。
【図２８】図２７において、配当表ユニットのガイド面に第３ヒンジ部材が配置された状態を示す図である。
【図２９】図２８において、第３ヒンジ部材が上方にスライドされた状態を示す図である。
【図３０】図２９において、ヒンジ部材が固定された状態を示す図である。
【図３１】配当表ユニットの設置領域が拡張されたことを示す図である。
【図３２】前扉の分解斜視図である。
【図３３】前扉の裏面図である。
【図３４】右側連結部材を示す図であり、（ａ）は正面図、（ｂ）は右側面図、（ｃ）は裏面図、（ｄ）は平面図、（ｅ）は斜視図である。
【図３５】左側連結部材を示す図であり、（ａ）は正面図、（ｂ）は右側面図、（ｃ）は裏面図、（ｄ）は平面図、（ｅ）は斜視図である。
【図３６】図５のＡ−Ａ断面図である。
【図３７】図３２のＢ−Ｂ断面図である。
【図３８】サイドカバーを示す図であり、（ａ）は正面図、（ｂ）は左側面図、（ｃ）は右側面図、（ｄ）は平面図である。
【図３９】ボス部品を示す図であり、（ａ）は正面図、（ｂ）は左側面図、（ｃ）は右側面図、（ｄ）は平面図である。
【図４０】サイドカバーの取付方法を示す図である。
【発明を実施するための形態】
【０００７】
本発明に係る遊技機の好ましい実施形態について、図１〜図４０を参照して説明する。
【０００８】
スロットマシン１は、遊技機の一例であり、従来のスロットマシンと同様に、スロットマシン１に備えられた複数のリール４１ａ，４１ｂ，４１ｃを回転させることによって遊技媒体であるメダルを獲得することができる回胴式遊技機を構成している。
具体的には、スロットマシン１は、図１〜３に示すように、スロットマシン１の本体にあたる筐体１ｂを備えるとともに、筐体１ｂの前側を覆う扉体として前扉１ａを備えている。
【０００９】
前扉１ａは、スロットマシン１の筐体１ｂにヒンジ等を介して開閉可能に取り付けられている（図３，２０等参照）。
前扉１ａは、前側に、遊技者に操作される複数の操作部が設けられている。
例えば、機内にメダルを投入するためのメダル投入口２が設けられ、所定数（例えば、３枚）のメダルがメダル投入口２から投入されることで、メダル投入口２と連通するメダルセレクタ２ｂによってメダルが検出され、ゲーム開始可能な状態となる。
また、押下操作可能なベットボタン２ａ（例えば、マックスベットボタン）が設けられ、操作に応じて内部的に記憶したクレジットメダルからデータ形式のメダルをゲームに投入することもできる。
また、リール４１ａ，４１ｂ，４１ｃの回転を始動させるスタートレバー３が設けられ、ゲーム開始可能な状態において遊技者により操作されることで、スロットマシン遊技が開始され、リール４１ａ，４１ｂ，４１ｃが回転を開始する。
また、各リール４１に対応して停止ボタン５ａ，５ｂ，５ｃが設けられ、遊技者により各停止ボタン５が押下操作されることで、回転している各リール４１を停止させることができる。
また、停止状態にある各リール４１に表された縦方向に連続する３つの図柄が視認可能な表示窓６、メダルが払い出されるメダル払出口７ｂ、前扉１ａを施錠するための錠前１３なども設けられている。
【００１０】
また、前扉１ａには、所定の演出を実行可能な演出装置として、上部演出ユニット８と配当表ユニット９が設けられている。
演出装置は、発光手段（例えばＬＥＤ）や音出力部（例えばスピーカ８２）を備え、同じく前扉１ａに設けられた副制御部２０による制御によって、スロットマシン遊技に同期した発光演出や音出力演出を実行することができる。
さらに、前扉１ａには、スピーカ８２が設けられ、演出装置に内蔵されるものを含め、複数個設けられている。
【００１１】
副制御部２０は、種々の電子部品が実装されたプリント基板（副基板２０ａ）からなり、これを外部から視認可能な透明の樹脂ケース（副基板ケース２０ｂ）に収めた状態で、配当表ユニット９の背面（後面）に着脱可能に取り付けられる（図３，２０等参照）。
副制御部２０は、コンピュータとして構成され、後記の主制御部１０から送信される制御コマンドに基づいて演出装置に、スロットマシン遊技に同期した演出を行わせる。例えば、副制御部２０は、主制御部１０からボーナス遊技開始を示す制御コマンドを受信すると、上部演出ユニット８、配当表ユニット９、スピーカ８２等に発光や音出力を行わせる（図４参照）。
【００１２】
筐体１ｂは、筐体構造を有し、スロットマシン遊技に必要な様々な機械、装置、遊技部品等が収納されている。
例えば、リール４１ａ，４１ｂ，４１ｃ、各リール４１を回転させる図示しないステッピングモータ及び回転位置を検出するセンサ等を備えるドラムユニット４が設けられている。
また、メダルの貯留・払い出し行うメダル払出装置７が設けられ、払い出されたメダルはメダル払出口７ｂを介して遊技者に提供される。
また、メダル払出装置７には、メダルを貯留するホッパー７ａが設けられ、メダル投入口２より投入されたメダルがメダルセレクタ２ｂを介してホッパー７ａに誘導される。
【００１３】
また、筐体１ｂには、スタートレバー３、停止ボタン５等の操作部からの操作信号に基づいて、ドラムユニット４、メダル払出装置７等の各装置を制御することでスロットマシン遊技を実行可能な主制御部１０が設けられている（図３，４参照）。
主制御部１０は、具体的には、種々の電子部品が実装された基板（主基板１０ａ）からなり、筐体１ｂ内の上部に取り付けられている。
主制御部１０は、ＣＰＵなどを備えるコンピュータとして構成され、例えば、ゲーム開始可能な状態において、スタートレバー３に対する操作を検知すると、各リール４１の回転を開始させる。
また、これと同時に、再遊技役、小役、ボーナス等の当選役を抽選により決定する内部抽選処理を実行し、各リール４１の回転中において、各停止ボタン５に対する押下操作を検知すると、抽選結果に対応した図柄の組合せで停止するよう、回転している各リール４１の停止制御を行う。
また、主制御部１０は、停止した各リール４１に表された縦方向に連続する３つの図柄の組合せを判定し、小役に対応する図柄の組合せでの停止を判定したときには、所定数のメダルを払い出すようにメダル払出装置７を制御する。
【００１４】
スロットマシン１は、このような一般的なスロットマシンの構成に加え、さらに以下に示す特徴的な構成を備えている。
【００１５】
［上部演出ユニット］
上部演出ユニット８は、前扉１ａ（第１部材）における最上部の位置に着脱可能に設けられた演出装置（第２部材）であり、副制御部２０による制御に基づき、遊技状況に応じた発光演出や音出力演出を実行する（図１〜図５参照）。
上部演出ユニット８は、具体的には、前部中央部がやや凸状に湾曲した形状に形成されており、前扉１ａに対しては、前側にせり出す態様で設けられている（図２，図５，図６，図９参照）。
【００１６】
上部演出ユニット８は、当該ユニットの筐体を構成するユニット本体８１、ユニット本体８１に設けられるスピーカ８２、スピーカ８２を後方から覆うスピーカカバー８３等によって構成されている（図７等参照）。
ユニット本体８１は、所定の形状（レンズ加工等）が施された有色又は無色の透光部材により形成されるとともに、図示しないＬＥＤ基板、導光部材、光拡散部材等の光学部材を内蔵し、ＬＥＤ基板に実装されている複数のＬＥＤの発光に応じ、自らが発光して様々なランプ表示演出を行う。
また、ユニット本体８１は、スピーカ８２の取付箇所の前方にスピーカ８２からの音を機外に出力するための開口等が施されている。
スピーカ８２は、コーンなどを振動させて音を出力させる音出力手段であり、スピーカカバー８３は、スピーカ８２を収容可能な透明の樹脂部材からなるカバー部材である。
スピーカカバー８３は、スピーカ８２を収容した状態で当該スピーカ８２とともにユニット本体８１の後方に取り付けられる。
このため、スピーカ８２の内部に異物が侵入された（コーンが突き破られるなど）場合でも、スピーカカバー８３が障壁となって機内への侵入を防ぐことができる。
また、スピーカカバー８３は、ユニット本体８１に取り付けた状態において、スピーカカバー８３の下側の縁辺がユニット本体８１の取付箇所よりも下側に突出しており、この突出した部分を第２壁部８３ａとして備えている（図６（ｆ），図７，図９（ａ）・（ｃ），図１０参照）。
このような構成からなる上部演出ユニット８は、ユニット本体８１の下側面（以下、ユニット下面８４という。）がほぼ水平に形成されている。
これにより、前扉１ａの設置部１６（設置面１６３）に上部演出ユニット８を載置した態様で設置できるようにしている。
【００１７】
設置部１６は、図５に示すように、前扉１ａの上部に設けられ、上部演出ユニット８を水平な状態で載置できるよう、ほぼ水平に施された設置面１６３を有している。
このような設置面１６３は、上部演出ユニット８を取り付ける際において、ユニット本体８１をスライドさせる移動領域としても機能する。
設置面１６３の後方には、スピーカカバー８３の後方を機内側に臨ませるとともに、上部演出ユニット８の裏面等に接続されている不図示のケーブル等を機内に渡すための開口部１６１を設けている。
開口部１６１の周縁には、設置面１６３に対してほぼ鉛直方向に立設した壁部（第１壁部１６２）を設けている。
このため、上部演出ユニット８は、前側に位置するユニット下面８４を設置面１６３に置きつつ、後側のスピーカカバー８３の下面を第１壁部１６２上に置くことで、スピーカカバー８３側が上方に傾斜した状態で設置部１６上にセットすることができ、この傾斜状態を維持したまま設置面１６３上を後方にスライドさせることができる。
上部演出ユニット８は、設置部１６の後側の設置位置までスライドさせたときにスピーカカバー８３側が下方に傾動し、これにより当該スピーカカバー８３の下部にあたる第２壁部８３ａ、第１壁部１６２の後方において、当該第１壁部１６２の上部と重なる（オーバーラップする）ようにしている（図８〜図１１参照）。
例えば、図１１に示すように、第１壁部１６２と第２壁部８３ａは、所定の長さ（約２ｍｍ）オーバーラップするようにしている。
このような構成による不正防止効果については後述する。
【００１８】
また、上部演出ユニット８の設置部１６への設置を案内するガイド機構を設けている
具体的には、ユニット下面８４に、前後方向に沿って施した凹状のガイド溝部（凹部）８５を左側と右側にそれぞれ複数本（例えば３本）設けるとともに、設置面１６３には、ガイド溝部８５と対応する箇所に、当該ガイド溝部８５により収容可能な形状の凸状のガイドレール（凸部）１６４を設けている（図５，図６，図１２等参照）。
また、ユニット下面８４の中央部には、後方に突出させた突片８６をユニット本体８１と一体に設けるとともに、設置部１６の中央部には、上部演出ユニット８の設置時に突片８６を収容可能な袋状部１６５を設けている（図５，６等参照）。
ガイド機構の詳細については後述する。
【００１９】
次に、上部演出ユニット８の取り付けについて説明する
上部演出ユニット８を取り付ける際の状態として、例えば、上部演出ユニット８を設置部１６の前方の所定位置（第１位置）に配置した状態（第１状態）と、上部演出ユニット８を後方にスライドさせるときの状態（第２状態）と、上部演出ユニット８を後方の設置位置（第２位置）までスライドさせ、当該第２位置での傾動により設置を完了させた状態（第３状態）を挙げることができる。上記各状態について以下に説明する。
【００２０】
第１状態は、上部演出ユニット８を後方にスライドさせる前の状態であり、設置部１６の前側に配置したときの状態に相当する。
ここで、上部演出ユニット８は、前端部から後端部（スピーカカバー８３）までの奥行きが、設置面１６３の前端部から後端部までの奥行きよりも長いことから、第１状態では、スピーカカバー８３を開口部１６１に挿通しつつ、ユニット下面８４の前部を設置面１６３の前側に載置した状態となる（図８（ａ），図９（ａ），図１０（ａ）参照）。
これにより、上部演出ユニット８は、自重によって、前側のユニット下面８４が設置面１６３上に置かれ、後側のスピーカカバー８３が設置面１６３より高い位置にある第１壁部１６２の頂部に置かれた状態にすることができる。
すなわち、上部演出ユニット８を、後側（移動方向側）がやや上方に傾いた傾斜状態にすることができる。
【００２１】
このとき、上部演出ユニット８は、ガイド溝部８５をガイドレール１６４の位置に合わせつつ設置部１６に配置することが好ましい（図１２（ａ）参照）。
これにより、ガイド溝部８５にガイドレール１６４が収容されるため、上部演出ユニット８の左右方向の移動を制限することができる。
このようにすると、上部演出ユニット８に対し、スピーカカバー８３が、開口部１６１の側部に接触しないように案内することができる。
このため、スピーカカバー８３が、スライドの途中で開口部１６１に接触して損傷することを防ぐことができる。
【００２２】
第２状態は、上部演出ユニット８を、後方の所定位置に移動させるまでのスライド途中の状態である。
第２状態において、上部演出ユニット８は、後側を上方に傾けた傾斜状態で後方にスライドさせるようにしているため、仮に、傾斜させずにスライドさせた場合に比べ、第１壁部１６２により進行が邪魔されないため、円滑にスライドさせることができる。
また、第２状態においては、上部演出ユニット８の高さを一定に維持したままスライドさせるようにしている。
そして、このようなスライドを可能とするため、上部演出ユニット８側には、ユニット下面８４側の中央部に後方に延出させた突片８６を設け、設置部１６の対応する位置には、この突片８４を収容可能な袋状部１６５を設けている（図８（ｂ），図９（ｂ）参照）。
袋状部１６５は、内部空間が、挿入された突片８６をわずか上方に変移可能な程度のクリアランスしか有しないように形成されている。
例えば、上部演出ユニット８を第１状態における位置からやや後方にスライドさせることで、突片８６を袋状部１６５に挿入させることができるが、これにより、突片８６は高さ方向の移動範囲が狭まるため、これに応じて、上部演出ユニット８の上方向への変移（傾き・移動）を制限することができる。
このようにすると、上部演出ユニット８を、スピーカカバー８３が開口部１６１の上部に接触しない高さに維持させることができるため、スライドの途中でスピーカカバー８３が開口部１６１の上部に接触して損傷することを防ぐことができる。
【００２３】
第３状態は、上部演出ユニット８を後方の所定位置までスライドさせ、当該所定位置における傾動により傾斜状態が戻されることで（図１０（ｂ）参照）、上部演出ユニット８の設置位置への取り付けが完了する状態である（図８（ｃ），図９（ｃ），図１０（ｃ）参照）。
具体的には、上部演出ユニット８の後方へのスライドを進めることで、スピーカカバー８３の下面が第１壁部１６２の頂部に支持された傾斜状態のまま後方に移動し、スピーカカバー８３の前端部（第２壁部８３ａ）が開口部１６１を通過した後方の所定位置（第２位置）に到達することで、スピーカカバー８３は第１壁部１６２による支持を失って下方向に傾動する（図１０（ｂ）参照）。
これにより、上部演出ユニット８は、元の傾斜方向（第１方向）と反対方向（第２方向）に傾動することになる。
そして、この傾動に伴って、上部演出ユニット８は、ユニット下面８４と設置面１６３とが合わさり、ほぼ水平な状態で設置面１６３上に載置された状態（取り付け完了の状態）となる。
また、これにより、スピーカカバー８３の第２壁部８３ａ、設置部１６の第１壁部１６２の後方で重なった状態となる（図８（ｃ），図９（ｃ），図１０（ｃ），図１１参照）。
【００２４】
ここで、このように、スピーカカバー８３の第２壁部８３ａ、設置部１６の第１壁部１６２が重なることによる不正の防止効果について、図１０（ｃ）を参照しながら説明する。
図１０（ｃ）に示すように、上部演出ユニット８と設置部１６の間から異物の侵入を試みた場合、仮に、異物の侵入ができたとしても、異物は第１壁部１６２に到達し、これが障壁となって侵入が阻まれることになる（矢印ａ参照）。
また、万一、異物が第１壁部１６２を通過できたとしても、次に第２壁部８３ａに到達することになるため、これが新たな障壁となって侵入が阻まれる（矢印ｂ参照）。
しかも、第２壁部８３ａは、下向きに突出しているため、侵入をさらに進めたとしても、異物は下方向に誘導されることになる（矢印ｃ参照）。
このため、不正の対象になり易く、機内の後方に位置する主基板１０ａへの不正なアクセスを効果的に防止することができる。
【００２５】
ところで、前述のガイド溝部８５とガイドレール１６４は、図１２に示すように、上部演出ユニット８のスライド方向に沿って幅が異なるようにしている。
具体的には、ガイド溝部８５及びガイドレール１６４は、ともに前側より後側が徐々に幅広となるテーパ状に形成されている。
より具体的には、ガイド溝部８５の後端部の幅をＤ１、前端部の幅をＤ２とし、ガイドレール１６４の後端部の幅をｄ１、前端部の幅をｄ２とすると、Ｄ１＞Ｄ２＞ｄ１＞ｄ２となる関係性を有するようにしている。
このようにすると、図１２（ａ）に示すように、ガイド溝部８５の後端部の幅とガイドレール１６４の前端部の幅の間隔を広くすることができるため、上部演出ユニット８を設置部１６に配置する際には、ガイド溝部８５をガイドレール１６４に重ね易くすることができる。
このため、第１状態における上部演出ユニット８の配置にあたり、左右方向に対する位置決めを容易に行うことができる
これに対し、例えば、ガイド溝部８５の前端部の幅とガイドレール１６４の後端部の幅の差（間隔）を小さくした場合には、ガイド溝部８５をガイドレール１６４に重ねづらくなるため、上部演出ユニット８の左右方向に対する位置決めが困難になることが考えられる。
【００２６】
また、図１２（ｂ）に示すように、上部演出ユニット８を後方にスライドさせるに連れて、ガイド溝部８５の幅とガイドレール１６４の幅との間隔を徐々に狭くなるようにしており、上部演出ユニット１６４が後方の所定位置に設置された状態においては、ガイド溝部８５はガイドレール１６４を、おおよそ全長に亘ってほぼ隙間なく収容するようにしている。
このため、上部演出ユニット８を緩やかに後方の所定位置に誘導することができる。
これに対し、例えば、上部演出ユニット８を後方にスライドさせるに連れて、ガイド溝部８５の幅と、ガイドレール１６４の幅との間隔が広くなるようにした場合には、移動可能範囲が大きくなる。このため、横方向へのブレによって、上部演出ユニット８を適切な位置に誘導できない場合やがたつきによる損傷を発生することが考えられる。
【００２７】
以上のように、本実施形態の遊技機は、設置部１６を有する前扉１ａ（第１部材）と、設置部１６に設置される上部演出ユニット８などの演出装置（第２部材）とを備えるとともに、前扉１ａにおける設置部１６の後方に形成された開口部１６１と、開口部１６１の周縁において設置部１６（設置面１６３）に対し略鉛直方向に形成された第１壁部１６２を備えている。
設置部１６は、演出装置を後方にスライドさせることが可能な設置面１６３を有しており、演出装置を、移動方向側を上方（第１方向）に傾けた傾斜状態で、前方の所定位置から後方の所定位置まで移動可能な領域を有している。
演出装置は、後方の所定位置において移動方向側を下方（第２方向）に傾動可能であり、当該下方に傾動した状態で第１壁部１６２の後方に重複して配置される第２壁部８３ａを有している。
これにより、例えば、上部演出ユニット８と設置部１６の間に異物を挿入する不正行為を防止することができるなど、演出装置の周囲における不正行為を防止することができる。
【００２８】
また、本実施形態の遊技機は、演出装置にガイド溝部８５を有し、設置部１６にガイド溝部８５に収容可能なガイドレール１６４を有しており、ガイド溝部８５とガイドレール１６４との間隔は、演出装置が後方の所定位置に近づくにつれて狭くなるようにしている。
このため、演出装置を設置部１６の前方の所定位置に配置する際には、ガイド溝部８５とガイドレール１６４とが重ね易く、演出装置を円滑に配置することができる。
また、演出装置を設置部１６の後方の所定位置に配置する際には、演出装置を当該所定位置に円滑に配置することができる。
【００２９】
一方、従来の遊技機は、スピーカと、当該スピーカの背面側をカバーするスピーカカバーとによりスピーカユニットを構成し、スピーカカバーの側壁に返し部を設けることで、スピーカ内部に異物が侵入したときに、当該返し部により機内への侵入を防止する機構を有するものがある。
しかしながら、このような従来の遊技機は、スピーカユニットの内部に対する不正は防止できるものの、スピーカユニットの周囲に対する不正を防止することはできなかった。
本発明の遊技機によれば、従来の遊技機が改善すべきこのような課題の全部又は一部を解決することができる。
【００３０】
なお、上記実施形態においては、上部演出ユニット８を例にあげて説明したが、他の装置（例えば、配当表ユニット９や操作部をユニット化したもの等）に上述の不正防止構造やスライド式取付構造を採用することができ、この場合も同様の作用効果を奏することができる。
また、不正防止構造に関する上記実施態様では、上部演出ユニット８を設置部１６に設置した状態において、第１壁部１６２と第２壁部８３ａとは、接触せずに前後方向に重なるようにしているが、これを互いに接触させたり係止させることができる。
また、２つある左右のスピーカカバー８３のうち、いずれか一方について不正防止構造を設けるようにすることができる。この場合、後方に主基板１０ａが配置されている方や近傍に主基板１０ａが配置されている方に不正防止構造を設けることが好ましい。
また、スライド式取付構造に関する傾斜態様では、上部演出ユニット８の前側又は後側を上方又は下方に傾斜させ、スライド後にその傾斜を戻す方向に上部演出ユニット８の前側又は後側を傾動させることもできる。
例えば、上部演出ユニット８の前側を上方に傾斜させ、当該傾斜状態で後方にスライドさせた後に前側をその傾斜方向と反対方向である下方に傾動させる構造とすることができる。この場合、開口部１６１の上部に下方に突出する第１壁部１６２を設け、上部演出ユニット８を設置部１６に設置した状態では、第１壁部１６２の下部とスピーカカバー８３の上部の第２壁部８３ａとが重なるような不正防止構造にすることができる。
また、上部演出ユニット８を上下方向に傾斜・傾動させるのではなく、上部演出ユニット８を水平状態に維持したまま左側又は右側を前方又は後方に移動させて傾斜させ、スライド後に、左側又は右側をその傾斜を戻す方向に傾動させる構成とすることができる。
また、設置面１６３にガイドレール１６４を設けユニット下面８４にガイド溝部８５を設けるのではなく、設置面１６３にガイド溝部８５を設けユニット下面８４にガイドレール１６４を設けることができる。
また、ガイド溝部８５及びガイドレール１６４を、左右の２箇所に設けるのではなく、１箇所又は３箇所以上設けることや、各箇所に３本ずつではなく、１本ずつ、２本ずつ、又は４本以上ずつ設けることができる。
【００３１】
［配当表ユニット］
配当表ユニット９は、前扉１ａの上部演出ユニット８の下側の開口部１６９に対向するようにして着脱可能に設けられた演出装置であり、副制御部２０による制御に基づき、遊技状態に応じた発光演出を実行する（図１〜５参照）。
配当表ユニット９は、具体的には、図１３〜図１５に示すように、正面視矩形状の箱形の筐体からなり、ともに複数の部材から構成されたリフレクタユニット９１と透明板ユニット９２によって構成されている。
【００３２】
リフレクタユニット９１は、透明板ユニット９２の後側に取り付けられる演出部材であり、リフレクタ（後方部材）９１１、ＬＥＤ基板９１２、及び棒状レンズ９１３によって構成されている（図１４参照）。
リフレクタ９１１は、例えば白色の樹脂部材などの光反射部材を略四角錐台状に形成され、横長矩形状の開放面を有する開放部９１１ａと、開放部９１１ａよりやや小さい横長矩形状の底面を有する底部９１１ｂを備えている。
リフレクタ９１１は、開放部９１１ａが前方を向いた状態で取り付けられ、配当表ユニット９において最後方に位置する。
【００３３】
ＬＥＤ基板（発光演出基板）９１２は、複数（例えば１２個）のＬＥＤ（演出用発光部）９１２ａが配列された細長のプリント基板であり、リフレクタ９１１の底部９１１ｂに取り付けている。
各ＬＥＤ９１２ａは、副制御部２０から受信した制御信号に基づく点灯パターンに従って点灯（発光）を行う。このため、ＬＥＤ基板９１２の裏面には、コネクタ９１２ｂを設け、当該コネクタ９１２ｂに接続されている図示しないケーブルを介して副制御部２０から制御信号を受信するようにしている。
棒状レンズ９１３は、断面が半円状に形成された光拡散部材であり、各ＬＥＤ９１２ａの発光面を覆うようにリフレクタ９１１に取り付けている。
【００３４】
透明板ユニット９２は、リフレクタユニット９１の前側に取り付けられる演出部材であり、前部透明板（第１透光性部材）９２１、後部透明板（第２透光性部材）９２３、及び配当表シート（絵柄表示部材）９２２によって構成されている（図１５参照）。
前部透明板９２１及び後部透明板９２３は、透明平面部９２１ａ，９２３ａと、透明周縁部（側壁部）９２１ｂ，９２３ｂによって構成された透明部材（透光性部材）である。
透明平面部９２１ａ，９２３ａは、横長矩形状の平面材であり、透明周縁部９２１ｂ，９２３ｂは、この透明平面部９２１ａ，９２３ａの後面の周縁に立設された所定板厚の枠部材である。
【００３５】
配当表シート９２２は、透明のシート部材からなり、当選役の絵柄の組み合わせ（例えば、ボーナス当選の絵柄組合せ「７７７」等）や配当枚数等（以下、絵柄等という。）が印刷されている。配当表シート９２２は、前部透明板９２１と後部透明板９２３の間に配置されている。
配当表シート９２２は、光を透過させる透光領域９２２ａと、光を透過させない非透光領域９２２ｂとに分けて構成している（図１５参照）。
透光領域９２２ａは、具体的には、配当表シート９２２の裏面に対し透光性を有する様々な色のインクにより上記絵柄等を印刷することで、当該箇所を光が透過する際に、絵柄等が様々な色で発光するため、その発光態様が視認されるようになっている。
非透光領域９２２ｂは、例えば、光を透過させない領域であり、例えば、光の反射性を有するインク（銀色のインク）を用いて印刷するようにしている。
【００３６】
配当表シート９２２は、前部透明板９２１における透明周縁部９２１ｂの内側領域に重ねて配置されるため、当該内側領域とほぼ同じ大きさの面を有している。
このような配当表シート９２２は、前部透明板９２１の後面に配置し、その後方から後部透明板９２３を入れ子状に重ね合わせることができ、これにより、前部透明板９２１と後部透明板９２３との間に配当表シート９２２が配置された透明板ユニット９２を完成することができる（図１５参照）。
このとき、配当表シート９２２は、前部透明板９２１と後部透明板９２３により挟まれつつ、周縁が透明周縁部９２１ｂにより隙間なく囲まれた状態となって固定される。
【００３７】
前部透明板９２１と後部透明板９２３には、互いに着脱可能に係止する係止手段として係止孔９２１ｃと爪部９２３ｄ（詳細には、当該爪部９２３ｄの下方に突出した図示しない突起部）を設けている（図１５参照）。
また、後部透明板９２３とリフレクタ９１１には、透明板ユニット９２とリフレクタユニット９１とを互いに着脱可能に係止する係止手段として、透明周縁部９２３ｂから後方に延びる爪部９２３ｃと、爪部９２３ｃを係止可能な係止孔９１１ｃを設けている。
これにより、前部透明板９２１と配当表シート９２２と後部透明板９２３を順に配置して入れ子状に重ねるだけで透明板ユニット９２を組み立てることができ、また、このようにして組み立てた透明板ユニット９２を、リフレクタ９１１の開放部９１１ａに配置するだけで配当表ユニット９を完成させることができる。
このような構成の配当表ユニット９によれば、配当表シート９２２を異なる絵柄等のものに差し替えるだけで発光対象を変更することができる。
このため、ユニット全体を替えることなく、配当表シート９を変えるだけで、配当表ユニット９のデザインを手軽にかつ安価に変更することができる。
【００３８】
このような配当表ユニット９における発光動作について断面模式図を用いて説明する。
図１６（ａ）に示すように、配当表ユニット９では、内蔵するＬＥＤ９１２ａが発光されると、このＬＥＤ９１２ａから光が前方に出射される。
ＬＥＤ９１２ａから前方に出射された光は棒状レンズ９１３の光拡散機能によって多方位に拡散される。
棒状レンズ９１３により拡散された光は、その多くが透明板ユニット９２の配当表シート９２２の裏面に向かって進行し裏面全体を照射する。
図１６（ｂ）に示すように、このうち、透光領域９２２ａに到達した光は配当表シート９２２を透過することで、この領域に印刷されてある絵柄等を発光する（矢印ａ参照）。
これにより、遊技者は、配当表シート９２２の絵柄等が発光された様子を、前部透明板９２１を通して視認することができる。
他方、非透光領域９２２ｂに到達した光は後方に反射され配当表シート９２２を透過しない（矢印ｂ参照）。
このため、透光領域９２２ａと非透光領域９２２ｂとのコントラストにより、透光領域９２２ａに印刷した絵柄等をより目立たせて表示することができ、周囲が明るい環境下にあっても、絵柄等をくっきりと鮮やかに見せることができる。
【００３９】
ところで、ＬＥＤ９１２ａから出射された光は、棒状レンズ９１３により多方向に拡散され、非透光領域９２２ｂに到達した光は反射されることから、配当表ユニット９の内部空間では光が様々な方向に進行する。
この結果、ＬＥＤ９１２ａからの直接光のみならず、上記拡散や反射を経た間接光によって、配当表シート９２２を効率よく照射することができる。
【００４０】
[配当表ユニットの周縁部の光漏れを防止する構造]
上述したように、本実施形態の配当表ユニット９は、ＬＥＤ９１２ａからの直接光や間接光が前部透明板９２１と後部透明板９２３の間に配置された配当表シート９２２を後方から照射することで絵柄等を発光させているが、このような配当表ユニット９の構成においては、配当表ユニット９の周縁部に光漏れが生じることがある。
例えば、図１６（ｃ）に示すように、透明板ユニット９２の周縁の透明周縁部９２３ｂに対し、後方から光が入射した場合には、その入射光が当該透明周縁部９２３ｂの内部を透過して透明周縁部９２１ｂに入射する。
このようにして、透明周縁部９２１ｂに対し後方から入射した光は、当該透明周縁部９２１ｂの内部を透過して主に前方から外部に出射する。
このため、透明周縁部９２１ｂから外部に出射した光は、これが配当表ユニット９の周縁部の近傍において光漏れとして視認可能に現れる。
このような周縁部の光漏れは、意図しない発光態様であり、配当表ユニット９の見栄えを悪化させるなどの問題を生ずる。
【００４１】
そこで、本実施形態の配当表ユニット９は、図１７に示すように、後部透明板９２３の透明周縁部９２１ｂの所定領域を、光を遮光する遮光領域Ｃａとして形成するようにしている。
具体的には、透明周縁部９２１ｂの上部周縁部の領域に対し、光の吸収作用を有する黒色のインクを用いて印刷することで当該領域を遮光領域Ｃａとしている。
このようにすると、図１８（ａ），（ｂ）に示すように、遮光領域Ｃａである透明周縁部９２３ｂに照射される光は、当該領域に施された光吸収機能によって吸収され、当該吸収による遮光効果によって透明周縁部９２３ｂを透過しない。
これにより、透明周縁部９２１ｂに対し後方から光が照射されたとしても、その光は透明周縁部９２１ｂに入射すらされないため、当該透明周縁部９２１ｂを通じて外部に出射することで生じる周縁部における光漏れを未然に防ぐことができる。
【００４２】
ところで、配当表ユニット９の周縁における光漏れの対策としては、配当表シート９２２の周縁に遮光処理（例えば、非透光領域９２２ｂとするなど）を施して光漏れの原因である光の透過を遮ることも考えられる。
しかしながら、配当表シート９２２は、透明周縁部９２１ｂに囲まれた領域に配置されるため、配当表シート９２２の周縁に遮光処理を施すことによって透明周縁部９２１ｂにおける光の透過を遮ることはできない。
また、前部透明板９２１において正面側に面する透明平面部９２１ａの周縁を黒色印刷などの遮光処理を施すことによって光漏れを防ぐことも考えられる。
ところが、このようにすると、透明平面部９２１ａの面積を小さくすることになる。
すなわち、配当表ユニット９のような発光演出を見せる演出装置は、演出の迫力や視認性が求められるため、演出領域である透明平面部９２１ａの領域を小さくすることは好ましくない。
この点、本発明によれば、演出領域を最大限に活かしつつ効果的に光漏れを防止することができる。
【００４３】
ところで、配当表ユニット９の透明板ユニット９２は、透明周縁部９２３ｂの上辺に爪部９２３ｃを設けている（図１４，１５等参照）。
この爪部９２３ｃは、透明周縁部９２３ｂと一体成形されており、透明周縁部９２３ｂと同様に透明部材（透光性部材）で形成されている。
また、爪部９２３ｃは、透明板ユニット９２とリフレクタユニット９１とを組み立てる際の透明板ユニット９２側の係止部であり、これに対し、リフレクタ９１１には係止孔９１１ｃが被係止部として設けられている。
このため、例えば、リフレクタユニット９１の内部において、ＬＥＤ９１２ａから出射された光が係止孔９１１ｃに向けて照射されると、当該係止孔９１１ｃに係止されている爪部９２３ｃが透明部材であるため、当該爪部９２３ｃを光が透過する結果、係止孔９１１ｃの周辺において光漏れとして現れることがある。
【００４４】
そこで、本実施形態の配当表ユニット９は、透明周縁部９２３ｂの所定領域に遮光処理を施すにあたり、当該透明周縁部９２３ｂに形成されている爪部９２３ｃにも同様の遮光処理を施して遮光領域Ｃａに含めるようにしている（図１７等参照）。
具体的には、爪部９２３ｃについても光吸収性を有する黒色のインクを印刷するようにしている。
このようにすると、図１９に示すように、係止孔９１１ｃに対し、直接光が照射された場合であっても、光は爪部９２３ｃにおける遮光機能によって遮光されるため、係止孔９１１ｃの周辺における光漏れを効果的に防止することができる。
また、爪部９２３ｃは、透明周縁部９２３ｂと一連・一体に形成されているため、透明周縁部９２３ｂと爪部９２３ｃを遮光領域Ｃａとする処理（インク印刷処理）を同じ工程の中で、効率よく行うことができる。
【００４５】
なお、本実施形態の配当表ユニット９は、後部透明板９２３の透明周縁部９２３ｂのうち上部周縁部のみ（爪部９２３ｃを含む）、遮光領域Ｃａを形成している。
これは、配当表ユニット９の上側部分において前方にせり出した上部演出ユニット８の陰になることで、光漏れが一層目立つことに対応したものである（図２等参照）。
これに対し、配当表ユニット９の下側や左右側の周縁部においても原理的には同様の光漏れは生じているものの、例えば、遊技場においては、室内灯によって一定の明るさがあり、実質的に光漏れは生じていないことから、上部周縁部以外の透明周縁部９２３ｂには遮光領域Ｃａを形成していない。
ただし、これに限らず、上部、下部、左部、右部のすべての周縁部に係る透明周縁部９２３ｂについて遮光領域Ｃａを形成したり、いずれか一以上を選択して遮光領域Ｃａを形成することができる。
【００４６】
[主基板に搭載されている状態ランプの発光態様を視認困難とした構造]
一般に、発光演出等を行う演出装置を備えた遊技機は、遊技者が注視し易い場所に演出装置を設置することが好ましい。
このような理由から、本実施形態のスロットマシン１は、配当表ユニット９を、前扉１ａの上部に設置している（図１，２等参照）。
しかしながら、このような演出装置の設置位置が、主基板１０ａの設置位置との関係において問題となることがある。
【００４７】
ここで、主基板１０ａは、不正防止の観点から、アクセスしづらい位置に配置することが望ましい。
他方、主基板１０ａは、メンテナンス等の観点からは、前扉１ａを開いたときに、正面視可能な位置に配置することが望ましい。例えば、本実施形態の主基板１０ａには、図２０に示すように、遊技の状態を発光態様によって把握可能な状態ランプ１０ｂを搭載しており、店員が前扉１ａを開いたときに、状態ランプ１０ｂの発光態様を一目で把握できることが好ましい。
このような状態ランプ１０ｂには、例えば、ドア開放時に消灯するものや、マックスベッドボタンが押されている間点灯するものや、メダルセレクタ２ｂにおけるメダルの通過時に点灯するものや、スタートレバー３の操作時に点灯するものや、停止ボタン５が押されている間点灯するものがある。また、例えば、小役などの成立役を示す状態ランプ１０ｂを設けることもできる。
【００４８】
このような観点から、図２０に示すように、主基板１０ａは、多くの場合、筐体１ｂの正面上部奥側に配置されている。
これにより、開扉動作を行うことで、前扉１ａを、主基板１０ａを視認容易な位置（第１位置）に変移させることができ（図３，２０参照）、また、閉扉動作を行うことで、前扉１ａを、主基板１０ａが視認困難な位置（第２位置）に変移させることができる（図２参照）。そして、このような前扉１ａの開閉操作は、一般に、店員のみが実施できるようになっている。
つまり、主基板１０ａを、筐体１ｂの正面上部奥側に配置することで、店員の立場からは視認容易であって、店員以外の者からは視認困難でアクセスも困難とすることができる。
【００４９】
しかしながら、この場合、図２１に示すように、前扉１ａを閉じた状態においても、正面視する遊技者の目線上に、配当表ユニット９と主基板１０ａとが重なって配置されるため、主基板１０ａの状態ランプ１０ｂの発光態様が配当表ユニット９を通して遊技者により視認可能となることがある。
具体的には、図２２（ａ）に示すように、主基板１０ａの状態ランプ１０ｂが発光されると、状態ランプ１０ｂから出射された光は前方に進行し、配当表ユニット９の後部部材であるリフレクタ９１１の後面に到達する（矢印ａ参照）。
リフレクタ９１１の後面に到達した光は、多くの場合、リフレクタ９１１に反射されて透過されないが、状態ランプ１０ｂと対向するリフレクタ９１１の領域に開口部ｋが設けられている場合には、当該開口部ｋを光が通過することになる（矢印ｂ参照）。
【００５０】
なお、このような開口部ｋには、副基板２０ａを保持する保持部に対向して設けられる開口部ｋ１がある（図１３〜１５等参照）。
保持部としては、副基板ケース２０ｂを下方にスライドさせることによって当該副基板ケース２０ｂの上部片２０ｃ及び下部片２０ｄを保持可能に形成された上部フック９１１ｅ及び下部フック９１１ｆがある（図１３，１５等参照）。
このような開口部ｋ１は、例えば、射出成形における、いわゆるアンダーカットの問題を回避するための簡易な手段として設けられることがある。
この他、開口部ｋには、ＬＥＤ基板９１２の裏面に設けたコネクタ９１２ｂを機内に望ませるための開口部ｋ２等がある
【００５１】
開口部ｋを通過した光は、透明板ユニット９２の配当表シート９２２に到達する（矢印ｃ参照）。
ここで、光が非透光領域９２２ｂに到達した場合は、当該光は配当表シート９２２を透過することはできないが（矢印ｄ参照）、光が透光領域９２２ａに到達した場合には（矢印ｅ参照）、当該透光領域９２２ａを光が透過する（矢印ｆ参照）。
このため、遊技者は、状態ランプ１０ｂの発光態様を、配当表シート９２２の透光領域９２２ａを通じて視認可能となる。
【００５２】
このように、前扉１ａが閉じられた状態において、状態ランプ１０ｂの発光態様を外部から視認可能となると、不正を行っても問題が起こらないタイミングを把握可能になるなど、不正を容易に許容するおそれがあり問題である。
例えば、状態ランプ１０ｂとして、当選した小役を報知するものが存在する場合、小役が当選した際には、状態ランプ１０ｂを視認することで１００％小役を停止表示させることが可能になる。この様に、確実に小役を停止表示できてしまうと、いわゆるナビ演出を行うＡＴ機等では、ナビ演出が行われていないにも関わらず、小役を停止表示させることができてしまい、遊技店が多大なる被害を被ってしまう虞がある。
また、配当表ユニット９のような発光演出を行う演出装置は、演出の迫力や視認性が求められることから演出領域を拡大する傾向にあり、これに伴い透光領域９２２ａが広くなることで上記問題の顕著化が懸念される。
【００５３】
そこで、本実施形態のスロットマシン１は、図２２（ｂ）に示すように、状態ランプ１０ｂの発光態様を視認困難とする遮蔽部Ｃｂを設けるようにしている。
遮蔽部Ｃｂは、例えば、別部材を用いて開口部ｋを塞いだり、予め開口を形成しないことで設けることができる。
本実施形態においては、下部フック（第1保持部）９１１ｆと対向するリフレクタ９１１の領域については、予め開口を設けないことで、当該領域を遮蔽部Ｃｂとして設けている（図１４，２２（ｂ）参照）。
具体的には、射出成形によりリフレクタ９１１を製作するにあたり、いわゆるスライド方式（基本金型とは別に、下部フック９１１ｆの成形を担う別の金型を加えて成形を行い、成形後に当該別の金型を所定方向にスライドさせる方式）を採用することで、前記領域を開口しないようにしている。
このようにすると、状態ランプ１０ｂと対向する位置にある下部フック９１１ｆの対向するリフレクタ９１１の領域が塞がれるため、光が当該領域を通過することを防ぐことができる（図２２（ｂ）参照）。
したがって、状態ランプ１０ｂから出射された光が、配当表シート９２２に到達することもないため、状態ランプ１０ｂの発光態様が、配当表ユニット９の透光領域９２２ａを介して遊技者から視認されることを防ぐことができる。
【００５４】
ところで、上部フック（第２保持部）９１１ｅは、下部フック９１１ｆと同様に、副基板２０ａを保持するための保持部でありながら、対向領域には開口部ｋ１を設けており遮蔽部Ｃｂを設けていない（図１５等参照）。
これは、上部フック９１１ｅが、状態ランプ１０ｂと対向した位置に配置していないことや、遊技者若しくは配当表シート９２２と状態ランプ１０ｂとが対向する線上の位置に配置していないことから、このような開口部ｋ１に遮蔽部Ｃｂ設けなくても、状態ランプ１０ｂの発光態様が遊技者により視認可能になる問題は生じ得ないからである（図２２（ｂ）等参照）。
また、開口があっても問題が生じない部分に、あえてコスト高のスライド方式を採用して開口を設けないこととする必要性に乏しいからである。
【００５５】
遮蔽部Ｃｂを別部材により設ける場合としては、例えば、板材などからなる遮蔽部材によって開口部ｋを塞ぐ方法がある。
また、開口部ｋの近傍に遮蔽部材を移動可能に設け、一方に移動させたときには開口部ｋが塞がれ、他方に移動させたときには開口部ｋが開放される構成とすることができる。
このようにすると、例えば、開口部ｋが開放される位置に遮蔽部材を移動させた状態で実際に遊技を行いながら、状態ランプ１０ｂを視認できるようにすることもできる。
【００５６】
さらに、遮蔽部材の位置を検知可能なフォトインタラプタなどのセンサと副制御部２０とを通信可能に接続し、遮蔽部材が開口部ｋを遮蔽する位置にあることをセンサが検知すると、副制御部２０が、配当表ユニット９のＬＥＤ９１２ａを消灯させるように制御することができる。
このようにすると、遊技中であるために状態ランプ１０ｂの発光態様が見づらい場合でも、状態ランプ１０ｂの発光態様を相対的に明るくして見易くすることができる。
例えば、遊技場において通常営業時に遊技を行う際には状態ランプ１０ｂの発光態様を視認困難とし、遊技場に設置する前のテスト段階において遊技を行う場合には状態ランプ１０ｂの発光態様を視認可能にすることができる。つまり、通常営業を行っていない場合には、明確に遊技状況を把握できるようにすることができる。
これにより、遊技場に設置する前において、状態ランプ１０ｂに不具合が生じていないかを確認しながら遊技を行うことができる。
【００５７】
以上のように、本実施形態の遊技機は、遊技状況を発光態様により示す状態ランプ１０ｂ（発光部）を有する主基板１０ａを設けた筐体１ｂと、筐体１ｂに対して、主基板１０ａが視認容易な第１位置（開扉時の位置）と当該第１位置よりも主基板１０ａが視認困難な第２位置（閉扉時の位置）とに変移可能に設けられた前扉１ａと、前扉１ａに取り付けられた配当表ユニット９などの演出装置とを備えている。
演出装置は、透光領域９２２ａを有する透明板ユニット９２（演出部材）と、透明板ユニット９２の後方に設けられるリフレクタ９１１（後方部材）とを有し、透光領域９２２ａには、状態ランプ１０ｂに対向する位置に配置されているものがある。
リフレクタ９１１は、開口部ｋと、透光領域９２２ａを介して状態ランプ１０ｂの発光態様を視認困難とする遮蔽部Ｃｂとを有している。
このような構成によれば、状態ランプ１０ｂの発光態様を視認困難とすることができる。
また、演出領域を狭くすることなく、状態ランプ１０ｂの発光態様を視認困難とすることができる。
【００５８】
また、本実施形態の遊技機は、リフレクタ９１１が、状態ランプ１０ｂに対向して設けられ、演出装置による演出の実行を制御可能な副基板２０ａを保持するための下部フック９１１ｆと、開口部ｋに対向して設けられ、副基板２０ａを保持するための上部フック９１１ｅとを有し、遮蔽部Ｃｂは、下部フック９１１ｆに対向して設けられるようにしている。
すなわち、副基板２０ａを保持する保持部のうち、状態ランプ１０ｂの発光態様が視認可能な開口部ｋを対向領域に有する保持部に対して、その開口部ｋに対し遮蔽部Ｃｂを設けるようにしている。
また、リフレクタ９１１は、透光領域９２２ａに対して光を照射可能なＬＥＤ９１２ａを備え、透明板ユニット９２は、前部透明板９２１と、前部透明板９２１の後方に配置され、所定の絵柄の表された配当表シート９２２と、配当表シート９２２の後方に配置される後部透明板９２３と、を備えている。
前部透明板９２１と後部透明板９２３には、周縁を囲むように立設された透光性部材からなる透明周縁部９２１ｂ，９２３ｂが設けられ、透明周縁部９２３ｂには、透明板ユニット９２をリフレクタ９１１に着脱可能に係止するための透光性部材からなる爪部９２３ｃが設けられ、透明周縁部９２３ｂ及び爪部９２３ｃには、ＬＥＤ９１２ａから照射される光を遮光する遮光領域Ｃａが形成されている。
このような構成によれば、演出装置の周縁や係止部分の周辺における光漏れを防ぐことができる。
【００５９】
なお、配当表ユニット９の場合に限らず、透光領域を備えた他の装置に、状態ランプ１０ｂの発光態様を視認困難とする構成を適用することもできる。
また、上部フック９１１ｅの対向領域の開口部ｋ１やＬＥＤ基板９１２のコネクタ９１２ｂ用の開口部ｋ２など、下部フック９１１ｆ以外の他の開口部ｋについても遮蔽部Ｃｂを設けることができる。
また、配当表シート９２２の非透光領域９２２ｂには、光反射性を有する銀色のインクを印刷しているが、白色のインクを印刷したり、光吸収性を有する黒色のインクを印刷することで光を透過させないようにすることができる。
また、後部透明板９２３の透明周縁部９２３ｂの所定領域には、光吸収性を有する黒色のインクを印刷しているが、光反射性を有する銀色や白色のインクを印刷することで光を遮光することができる。
また、爪部９２３ｃは、後部透明板９２３に設けているが、前部透明板９２１に設けてもよく、この場合、透明周縁部９２１ｂの所定領域（爪部９２３ｃを含む）を遮光領域Ｃｂとすることができる。
【００６０】
一方、従来の遊技機は、前扉が筐体の前側に回動可能に設けられ、筐体内部には遊技状況を示す発光部が搭載された主基板が配置され、前扉には、発光部に対向する位置において当該発光部の発光態様を視認可能な光透過部が設けられているものが知られている。
このため、この遊技機では、前扉を開かなくても、光透過部を介して発光部の発光態様を視認できてしまい、遊技者等によって、遊技機の状態を把握されるようになっていた。
このような遊技機によれば、不正を行っても問題が起こらないタイミングを把握可能になるなど、不正を容易に許容するおそれがあり問題である。
本発明の遊技機によれば、従来の遊技機が改善すべきこのような課題の全部又は一部を解決することができる。
【００６１】
［ヒンジ部材］
本実施形態のスロットマシン１には、筐体１ｂに対し前扉１ａが回動可能に設けられており（図３等参照）、前扉１ａには開口部１６９を望むように、その後方から配当表ユニット９が取り付けられている（図５等参照）。
筐体１ｂに対し前扉１ａを回動可能にする部材として、ヒンジ部材が用いられている。
この種のヒンジ部材としては、回動軸がスライドすることで扉体の収まり具合を調整可能なスライド丁番が多く用いられている。
スライド丁番は、通常、機内側の上部及び下部の位置において、前扉１ａと筐体１ｂとを掛け渡すように取り付けられている（図２参照）。
しかしながら、前扉１ａ側の上部スライド丁番が取り付けられる領域は、配当表ユニット９の設置領域と近接するため、配当表ユニット９の設置領域が制限されていた。
このため、配当表ユニット９では、演出領域を小さくすることで、迫力ある演出や視認性の高い演出ができず、また、ヒンジ部材やその取付構造が邪魔になって取り付けや取り外しが円滑に行えない問題があった。
そこで、本実施形態の遊技機は、図２３に示すように、スライド丁番Ｔｓと、これとは別体の部材（第３ヒンジ部材ｔ３）とを組み合わせたものを、本発明のヒンジ部材Ｔとして用いるようにしている。
なお、下部のヒンジ部材としては、従来通り、スライド丁番Ｔｓのみを設ける。このため、下部のヒンジ部材についての説明は省略する。
以下、本発明のヒンジ部材Ｔについて詳細に説明する。
【００６２】
上述したように、本発明のヒンジ部材Ｔは、スライド丁番Ｔｓと、第３ヒンジ部材ｔ３とによって構成されている。
スライド丁番Ｔｓは、金属製の横長の部材であり、ほぼ水平にした状態で取り付けられる（図３，２３参照）。
スライド丁番Ｔｓは、図２４（ａ）〜（ｅ）に示すように、正面視右側に位置する第１ヒンジ部材ｔ１と、正面視左側に位置する第２ヒンジ部材ｔ２とによって構成されており、第１ヒンジ部材ｔ１と第２ヒンジ部材ｔ２とは、リンク部材ｔｒによって回動可能に結合されている。
【００６３】
第１ヒンジ部材ｔ１は、筐体１ｂの内側面に取り付けられる（図３等参照）。第１ヒンジ部材ｔ１の筐体１ｂへの取り付けは、従来のスライド丁番Ｔｓの取り付け方法と同様に、予め筐体１ｂの内側面に取り付けた図示しない座金に対し着脱可能に取り付けることができる。
第２ヒンジ部材ｔ２は、前扉１ａの背面側に取り付けられる取付部材である（図２３等参照）。第２ヒンジ部材ｔ２の前扉１ａへの取り付けは、前扉１ａの取付構造に直接取り付ける従来の方法とは異なり、第３ヒンジ部材ｔ３を介して間接的に取り付けを行う。
第２ヒンジ部材ｔ２は、図２４（ａ）〜（ｅ）に示すように、正面視上側及び下側に位置する上側取付部ｔ２１及び下側取付部ｔ２２と、上側取付部ｔ２１と下側取付部ｔ２２の間において奥側に設けられた凹状部ｔ２３と、によって一体に形成されている。
上側取付部ｔ２１及び下側取付部ｔ２２にはそれぞれネジを通す孔（ネジ穴）が設けられている。
このような第２ヒンジ部材ｔ２は、上側取付部ｔ２１が、前扉１ａに設けられた取付構造であるボス（後記の第１ボス１ｄ）に取り付けられ、下側取付部ｔ２２が、第３ヒンジ部材ｔ３に設けられているボス（後記の第２ボスｔ３３）に取り付けられる。
なお、第２ヒンジ部材ｔ２の具体的な取付方法については後述する。
【００６４】
第３ヒンジ部材ｔ３は、プラスチックなどの樹脂部材であって、スライド丁番Ｔｓとは別体の部材である（図２３参照）。
第３ヒンジ部材ｔ３は、図２５に示すように、一端部である上部が矩形状の片（以下、上部片ｔ３１という。）で形成され、他端部である下部において裏面に上下方向に延びる２本の凸状のガイドレールｔ３２（凸部）が形成され、中央部にはボス（以下、第２ボスｔ３３という。）が形成されている。
なお、上部片ｔ３１は、所定の板厚（例えば１〜２ｍｍ程度）からなり、先端部が先細で角が面取された形状にしている。これにより、後述するように、上部片ｔ３１を、取付面１ｅと凹状部ｔ２３の間の隙間Ｓに配置する際に、隙間Ｓを分け入るようにして配置することができる。
第３ヒンジ部材ｔ３の所定箇所にはネジ孔ｔ３４が設けられている。
【００６５】
次に、ヒンジ部材Ｔが取り付けられる前扉１ａ及び配当表ユニット９の構造について説明する。
図２６に示すように、前扉１ａには、配当表ユニット９の設置領域の上側に、第１ボス１ｄと取付面１ｅを備えている。
第１ボス１ｄは、第２ヒンジ部材ｔ２の上側取付部ｔ２１をネジにより取り付け可能な構造物である。
取付面１ｅは、第１ボス１ｄの下側に設けられた平面領域である。上側取付部ｔ２１を第１ボス１ｄに取り付けたときに、凹状部ｔ２３が配置される領域（以下、特別領域という。）に相当する。
第１ボス１ｄと取付面１ｅは、ともに前扉１ａの骨材と一連の構造物として予め設けられている。
ただし、取付面１ｅの下側の領域、すなわち、上側取付部ｔ２１を第１ボス１ｄに取り付けたときに下側取付部ｔ２２が配置される領域（以下、領域ａという。）には構造物を設けていない。
つまり、領域ａは、本来、下側取付部ｔ２２を取り付けるためのボスなどの取付構造が設けられるが、本実施形態の前扉１ａには、そのような構造物は一切設けていない。
【００６６】
また、配当表ユニット９には、上下方向に延びる２本の凹状のガイド溝部（凹部）９１１ｈを、リフレクタ９１１の後面の所定領域（ガイド面９１１ｇ）に有している（図１３，２６等参照）。
ガイド溝部９１１ｈは、第３ヒンジ部材ｔ３のガイドレールｔ３２と対応した形状（幅、長さ、深さ）とすることで、ガイドレールｔ３２を収容可能に形成されている。
このため、第３ヒンジ部材ｔ３は、ガイドレールｔ３２をガイド溝部９１１ｈに収容させた状態のまま上下方向にスライドさせることができる。
第３ヒンジ部材ｔ３は、上方向に対しては、ガイドレールｔ３２の上端がガイド溝部９１１ｈの上端に当接するまでスライドさせることができ、下方向に対しては、ガイドレールｔ３２の下端がガイド溝部９１１ｈの下端に当接するまでスライドさせることができる。
また、配当表ユニット９は、前扉１ａに取り付けている状態において、ガイド面９１１ｇが取付面１ｅの下側に配置されるようにしている（図２６参照）。
また、ガイド面９１１ｇの高さと取付面１ｅの高さは、ほぼ同じに高さとしつつも、ガイド面９１１ｇの方が取付面１ｅよりもわずかに高くなるようにしている（図示省略）。
そして、第３ヒンジ部材ｔ３を、ガイドレールｔ３２をガイド溝部９１１ｈに収容させた状態で上端までスライドさせたときに、上部片ｔ３１が取付面１ｅ上に配置されるとともに下部が配当表ユニット９の後側であってガイド面９１１ｇ上の所定位置に配置され、第２ボスｔ３３が領域ａに配置されるようにしている。ガイド面９１１ｇには、第３ヒンジ部材ｔ３を上端までスライドさせたときに下部のネジ穴ｔ３４の位置にネジを螺入可能なネジ固定孔９１１ｉが設けられている。
【００６７】
次に、ヒンジ部材Ｔの取付方法について説明する。
なお、ここでは、前扉１ａに対する取付方法として、第２ヒンジ部材ｔ２及び第３ヒンジ部材ｔ３の取付方法について図２７〜３０を参照して説明する。
また、図２６に示すように、前扉１ａには、予め、配当表ユニット９が取り付けられているものとする。
【００６８】
まず、図２７に示すように、第２ヒンジ部材ｔ２を前扉１ａに取り付ける。
具体的には、上側取付部ｔ２１のみを第１ボス１ｄにネジ固定する。
これにより、取付面１ｅ上には凹状部ｔ２３がわずかな隙間Ｓをあけて配置されるとともに、領域ａに下側取付部ｔ２２が配置される。
【００６９】
次に、図２８に示すように、第３ヒンジ部材ｔ３をガイド面９１１ｇの所定位置に配置する。例えば、第３ヒンジ部材ｔ３を、ガイドレールｔ３２の下端がガイド溝部９１１ｈの下端に当接する位置に配置する。
続いて、図２９に示すように、第３ヒンジ部材ｔ３を上方に移動させる。具体的には、ガイドレールｔ３２をガイド溝部９１１ｈに収容させた状態のまま、上端がガイド溝部９１１ｈの上端に当接する位置までスライドさせる。
これにより、第３ヒンジ部材ｔ３の上部片ｔ３１は、取付面１ｅと凹状部ｔ２３との隙間Ｓに挿入されて、これらの部材の間に配置される。
この隙間Ｓは、第３ヒンジ部材ｔ３の板厚よりやや小さい間隔であることが好ましく、第１ボス１ｄに対する第２ヒンジ部材ｔ２（上側取付部ｔ２１）のネジの締め具合によって調整することができる。
このようにすると、上部片ｔ３１が、取付面１ｅと凹状部ｔ２３により挟まれた状態にすることができる。
また、このとき、第３ヒンジ部材ｔ３の下部がガイド面９１１ｇに配置されるが、ガイド面９１１ｇの高さは、取付面１ｅよりもわずかに高くしてあるため、第３ヒンジ部材ｔ３の下部は、配当表ユニット９によって押圧される。
この結果、第３ヒンジ部材ｔ３に対しては、重力に対向する抗力がガイド面９１１ｇに生ずる。
また、第３ヒンジ部材ｔ３の下部が配当表ユニット９により押圧されることに伴い、第３ヒンジ部材ｔ３の上部片ｔ３１がやや斜めに傾くことで、上部片ｔ３１を挟む取付面１ｅと第２ヒンジ部材ｔ２をそれぞれ押圧することになる。
このため、取付面１ｅにおいても同様の抗力が作用することとなり、上部片ｔ３１が当該領域において保持される。
これにより、第３ヒンジ部材ｔ３は、スライドさせるだけで所定の位置に配置するとともに、その位置において、落下しない程度に仮固定させることができる。
このため、ヒンジ部材Ｔの取り付けの際に、第３ヒンジ部材ｔ３を手などにより支持することなく取付作業を進めることができる。
また、この第３ヒンジ部材ｔ３のスライドにより、第２ボスｔ３３が、領域ａ以外の領域（非特定領域）から特定領域ａ（領域ａ）に移動して配置される。
【００７０】
そして、図３０に示すように、所定箇所をネジ固定することでヒンジ部材Ｔ（第２ヒンジ部材ｔ２）を前扉１ａに固定することができる。
具体的には、上側取付部ｔ２１を第１ボス１ｄにネジ固定することで、当該箇所を前扉１ａに固定することができる。
また、下側取付部ｔ２２を第２ボスｔ３３にネジ固定することで、当該箇所を介し第２ヒンジ部材ｔ２と第３ヒンジ部材ｔ３を結合することができる。
また、第３ヒンジ部材ｔ３の下部を配当表ユニット９の右上部にネジ固定することができる。これにより、配当表ユニット９が前扉１ａに固定されていることから、第３ヒンジ部材ｔ３を配当表ユニット９を介して前扉１ａに固定することができる。
なお、上側取付部ｔ２１及び下側取付部ｔ２２におけるネジの締め付けに伴い、凹状部ｔ２３と取付面１ｅの隙間Ｓが狭まることで、当該箇所に重ねて配置されている第３ヒンジ部材ｔ３の上部片ｔ３１と第２ヒンジ部材ｔ２の凹状部ｔ２３を前扉１ａに固定することができる。
すなわち、第２ヒンジ部材ｔ２（ヒンジ部材Ｔ）は、上側取付部ｔ２１が前扉１ａに直接固定され、下側取付部ｔ２２が第３ヒンジ部材ｔ３及び配当表ユニット９を介して前扉１ａに固定され、凹状部ｔ２３が、第３ヒンジ部材ｔ３を介して前扉１ａに固定されることで、前扉１ａに対し強固に取り付けることができる。
このように、本発明のヒンジ部材Ｔの前扉１ａに対する取付構造によれば、上記取付方法によってヒンジ部材Ｔを前扉１ａに取り付けることができる。
【００７１】
以上のように、本実施形態の遊技機は、前扉１ａが筐体１ｂに対しヒンジ部材Ｔを介して回動可能に設けられており、この前扉１ａには配当表ユニット９などの演出装置を取り付けている。
ヒンジ部材Ｔは、筐体１ｂに設けられる第１ヒンジ部材ｔ１と、当該第１ヒンジ部材ｔ１と回動可能に設けられた第２ヒンジ部材ｔ２と、演出装置が前扉１ａに取り付けられた状態で、演出装置と第２ヒンジ部材ｔ２に取り付け可能な第３ヒンジ部材ｔ３と、を備えている。
第２ヒンジ部材ｔ２と第３ヒンジ部材ｔ３とは、前扉１ａの領域ａ（特定領域）において取り付けられており、演出装置のガイド面９１１ｇにはガイド溝部（凹部）９１１ｈを有すると共に、第３ヒンジ部材ｔ３にはガイド溝部９１１ｈに収容可能なガイドレール（凸部）ｔ３２を有している。
第３ヒンジ部材ｔ３は、ガイドレールｔ３２がガイド溝部９１１ｈに収容された状態で、第２ボス（第２ヒンジ部材ｔ２に取り付けられる部分）ｔ３３が、領域ａ以外の領域（非特定領域）から領域ａに案内された後、当該領域ａにおいて取り付け可能な構成を備えている。
【００７２】
これにより、第１に、前扉１ａにおけるヒンジ部材Ｔの取付構造をコンパクトにすることができる。
具体的には、ヒンジ部材Ｔの前扉１ａに対する取付部材である第２ヒンジ部材ｔ２について、上側取付部ｔ２１は前扉１ａに直接取り付けるものの、下側取付部ｔ２２については前扉１ａに直接取り付けるのではなく、前扉１ａに予め取り付けられた配当表ユニット９や、後付け的に取り付けられる第３ヒンジ部材ｔ３を介して、取り付けるようにしている。
このため、前扉１ａにおいては、下側取付部ｔ２２に対するボスなどの取付構造を省くことができる。
これにより、この取付構造が省かれたところの領域ａを配当表ユニット９の設置領域ｂに含めて拡張することができる（図３１参照）。
また、配当表ユニット９は横長矩形状であるため、領域ａに取付構造があったために利用することができなかった当該領域ａの横側の領域ａ１についても配当表ユニット９の設置領域ｂに含めて拡張することができる（図３１のａ＋ａ１＋ｂ参照）。
【００７３】
第２に、ヒンジ部材Ｔや演出装置の取り付けや取り外しを円滑に行うことができる。
具体的には、第３ヒンジ部材ｔ３の取付位置をスライドにより案内可能なガイド機構（ガイド溝部９１１ｈ及びガイドレールｔ３２）を備えることで、ヒンジ部材Ｔを構成する第３ヒンジ部材ｔ３を適切な取付位置に円滑に配置することができる。
また、このようにして取付位置に配置された第３ヒンジ部材ｔ３は、当該第３ヒンジ部材ｔ３の上部片ｔ３１が、取付面（特別領域）１ｅにおいて凹状部ｔ２３との間に挟持される。
また、第３ヒンジ部材ｔ３は、上部片ｔ３１が取付面１ｅに配置された状態において、下部が演出装置の後側に配置される状態となり、この状態において下側取付部ｔ２２と第２ボスｔ３３とが重なり、第２ヒンジ部材ｔ２と取り付け可能になる。
そして、第３ヒンジ部材ｔ３は、第２ヒンジ部材ｔ２と取り付け可能な状態において、下部が演出装置によって後方に押圧され、これにより、上部片ｔ３１が取付面１ｅにおいて保持されるようになっている。
このため、第３ヒンジ部材ｔ３を手などで支えなくとも落下しないように保持させることができるため、ヒンジ部材Ｔの取り付けを楽に行うことができる。
また、第３ヒンジ部材ｔ３は、配当表ユニット９の後方において、当該配当表ユニット９の設置領域ｂと重なる位置に設置されるが、配当表ユニット９を前扉１ａに取り付けた後に第３ヒンジ部材ｔ３を取り付けるようにしているため、前扉１ａに対する配当表ユニット９の取り付けを妨害しない。
これにより、筐体１ｂから前扉１ａを取り外さなくても配当表ユニット９の取り外しを行うことができる。すなわち、配当表ユニット９を取り外す際は、第３ヒンジ部材ｔ３を取り外すだけで容易に行うことができる。
したがって、配当表ユニット９のメンテナンス性を向上させることができる。
【００７４】
第３に、演出装置を前扉１ａに強固に取り付けることができる。
すなわち、上述したヒンジ部材Ｔの取付構造によれば、ヒンジ部材Ｔは、配当表ユニット９からすると、前扉１ａに対する取付手段である。
このため、配当表ユニット９にとっては、取付手段を加えることになるため、配当表ユニット９の前扉１ａに対する取り付けをより強固にすることができる。
特に、配当表ユニット９の周辺にはスタートレバー３などの操作部が配置されており、このような操作部の操作に応じた振動（ガタ付き）が生じ易く、当該振動に伴って生ずる配当表ユニット９と前扉１ａとの接触が原因で接触箇所が破損することがある。
しかしながら、上述した構成によれば、配当表ユニット９が前扉１ａに強固に固定されるため、このような問題を生じにくくすることができる。
【００７５】
一方、従来の遊技機は、前扉が筐体に対しヒンジ部材を介して回動可能に取り付けられ、前扉の上部に演出装置が配置されているものがある。
このような遊技機は、前扉に取り付けられるヒンジ部材の取り付け領域の大きさを考慮して演出装置の配置スペースを定める必要があるため、演出ユニットの配置スペースを広く確保することができなかった。
本発明の遊技機によれば、従来の遊技機が改善すべきこのような課題の全部又は一部を解決することができる。
【００７６】
なお、上記実施形態では、配当表ユニット９を介して前扉１ａにヒンジ部材Ｔを取り付けるようにしているが、他の演出装置（例えば、液晶が搭載された液晶ユニットや、可動役物が搭載された可動役物ユニットなど）を介して取り付けることもできる。
また、第３ヒンジ部材ｔ３は、１つの部材で構成されているが、２つ以上の部材で構成されてもよい。
また、上記実施例では、配当表ユニット９側にガイド溝部９１１ｈ（凹部）を設け、第３ヒンジ部材ｔ３側にガイドレールｔ３２（凸部）を設けているが、配当表ユニット９側にガイドレール（凸部）を設け、第３ヒンジ部材ｔ３側にガイド溝部（凹部）を設けることもできる。
また、２本のガイド溝部９１１ｈのうち、少なくとも一方の上端側に物体検出が可能なフォトインタラプタなどセンサを設けるとともに、このセンサからの検出信号を受けて発光するランプやＬＥＤなどの発光手段を設けることができる。
これにより、第３ヒンジ部材ｔ３の上部片ｔ３１が取付面１ｅに配置されたことを、発光手段による発光によって報知させることができる。
また、第３ヒンジ部材ｔ３を透明板などの透光性部材で構成することができる。
このようにすると、第３ヒンジ部材ｔ３をガイド面９１１ｇ上に配置する際において、ガイド溝部９１１ｈとガイドレールｔ３２の位置関係を視認することができるため、ガイド溝部９１１ｈにガイドレールｔ３２を円滑に収容させることができる。
また、上記実施形態では、前扉１ａと筐体１ｂとに設けられるヒンジ部材について説明したが、このような実施形態に限定されるものではない。
例えば、可動役物や基板ケース等、ヒンジ部材を介して開閉される部材に本発明のヒンジ部材Ｔを適用することができる。
【００７７】
［前扉分離構造］
また、スロットマシン１は、前扉１ａが上下方向に分離可能に構成されている。
例えば、前扉１ａは、図３２に示すように、上側扉部１１と下側扉部１２とに分離することができる。
上側扉部１１は、当該スロットマシン１の属する機種（所定の機種名）のみに設けられる、例えば、上部演出ユニット８及び配当表ユニット９等の専用部材を備えている。
一方、下側扉部１２は、下パネル部１２３の一部に機種専用の絵柄シート（比較的安価な部品）を備えるものの、その他は複数の機種に共通して設けられる、例えば、メダル投入口２、ベットボタン２ａ、スタートレバー３、停止ボタン５等の操作部、その他の比較的高価な部品を備えている。
これにより、前扉１ａを製造するにあたり、下側扉部１２を共通部品として流用しつつ、上側扉部１１のみを違えることにより複数の機種に対応可能となり、前扉１ａのすべてを機種ごとに製造する必要がないことから、製造コストの上昇を抑えることができる。
【００７８】
［連結部材］
このように上下方向に分離可能に構成された前扉１ａは、図３２に示すように、上側扉部１１の支柱部１１１において、上側扉部１１と下側扉部１２とが連結する。
支柱部１１１は、上側扉部１１の左側及び右側に配置されるとともに、上側扉部１１から下側扉部１２に向けて延設され、表示窓６の窓枠として機能する部分である。このような支柱部１１１は、上側扉部１１全体を支える部分であり、単に支柱部１１１をネジ等を介して下側扉部１２に固定するだけでは、前扉１ａ全体の強度が不足するおそれがある。
【００７９】
そこで、骨体として作用するように支柱部１１１及び下側扉部１２に係入されるとともに、上側扉部１１と下側扉部１２の間に架け渡される連結部材１７，１８を備えている。
連結部材１７，１８は、図３４及び３５に示すように、それぞれ形状の異なる右側連結部材１７と左側連結部材１８とを備えている。
【００８０】
各連結部材１７，１８は、支柱部１１１に係入固定される上側固定部１７１，１８１と、下側扉部１２に係入固定される下側固定部１７２，１８２を備え、また、支柱部１１１側に螺入されるネジ孔を有するネジ固定部１７１ａ，１８１ａと、下側扉部１２側に螺入されるネジ孔を有するネジ固定部１７２ａ，１８２ａとを備えている。
このような構成により、上側扉部１１と下側扉部１２を直接ネジ固定することに加え又は代えて、これらの連結部材１７，１８が、図３３に示すように、前扉１ａの裏面側において、上側扉部１１と下側扉部１２の間に架け渡されるとともに、それぞれにネジ固定され、上側扉部１１と下側扉部１２とを強固に連結させる。また、連結部材１７，１８が、支柱部１１１の強度を補強する役割も果たす。
【００８１】
このような連結部材１７，１８は、単に上側扉部１１と下側扉部１２とを連結させる役割を担うだけでなく、機外から筐体１ｂ内への異物の侵入を防止する侵入防止手段を備えている。
前扉１ａには、例えば、錠前１３（シリンダ錠）とこの鍵穴を機外に臨ませる錠前用開口部との間に形成される隙間Ｓ１や、天板２ｃと操作板２ｄとの間に形成される隙間Ｓ２などがあり（図５参照）、このような隙間から筐体１ｂ内に異物が侵入され、メダルを過剰に払い出させるなどの不正な操作が行われるおそれがある。
【００８２】
そこで、連結部材１７，１８は、このような錠前１３の周辺や、ベットボタン２ａ、スタートレバー３などの操作部の周辺に形成される隙間Ｓ１，Ｓ２から、筐体１ｂ内への異物の侵入を防止する侵入防止手段を備えている。
例えば、右側連結部材１７は、図３４及び図３６（図５のＡ−Ａ断面）に示すように、円筒形の錠前１３周辺を囲む筒状部１７３を備えており、隙間Ｓ１からの異物の侵入範囲を筒内に制限する。また、筒状部１７３の後端部側は所定部品に当接され、所定部品を超える異物の侵入を阻止する。
また、左側連結部材１８は、図３５及び図３７（図３２のＢ−Ｂ断面）に示すように、袋小路状の空間をなす囲い部１８３を備えており、隙間Ｓ２からの異物の侵入範囲を囲い部１８３内に制限する。また、囲い部１８３の後端部側は所定部品に当接され、所定部品を超える異物の侵入を阻止する。
このように、各連結部材１７，１８が上側扉部１１と下側扉部１２とを連結させる役割を担うだけでなく、機外から筐体１ｂ内への異物の侵入を防止する侵入防止手段を備えることで、部品の有効利用を図ることができる。
【００８３】
[サイドカバー]
図３２に示すように、上側扉部１１の左側及び右側には、配当表ユニット９の両側部のデザインを担う金属製のサイドカバー１９を設けている。
サイドカバー１９は、具体的には、図３８に示すように、平面視変形Ｌ字状に形成されており、同図に示す固有の立体的形状によって独特のフォルムを形成している。
なお、サイドカバー１９は、右側と左側とは左右対称な形状で形成されているため、ここでは、右側のサイドカバー１９を例に挙げて説明し、左側のサイドカバー１９については説明を省略する。
【００８４】
サイドカバー１９は、別部材であるボス部品１９１を用いて、上側扉部１１のカバー取付部１９２に取り付けることができる（図３２参照）。
このため、サイドカバー１９は、図３８に示すように、上部と下部の所定箇所において、後方に突出する円筒状のボス（上部ボス１９ａ，下部ボス１９ｂ）と、上部ボス１９ａと隣接する位置に、当該上部ボス１９ａと並設された突出部１９ｃを設けている。
【００８５】
ボス部品１９１は、プラスチックなどの樹脂で形成された部品であり、図３９に示すように、円筒状の延長用ボス１９１ａと、当該延長用ボス１９１ａの根元部分と隣接するように一体成形されたネジ孔部１９１ｂを設けている。
延長用ボス１９１ａは、根元側の端部１９１ｃは、サイドカバー１９の突出部１９ｃと係合可能な形状が施されており、先端側の端部１９１ｄには、ネジを螺入可能な穴が形成されている。
【００８６】
カバー取付部１９２は、上側扉部１１に設けられたサイドカバー１９の取付部であって、前方に延出した構造の上部取付部１９２ａ及び下部取付部１９２ｂを設けている。
上部取付部１９２ａ及び下部取付部１９２ｂは、ネジ穴を当該構造部の端部（前端部）に設けている。
【００８７】
次に、サイドカバー１９の取付方法について説明する。
図４０（ａ）に示すように、ボス部品１９１を、サイドカバー１９の上部ボス１９ａと結合させる。
具体的には、ボス部品１９１のネジ孔部１９１ｂをサイドカバー１９の上部ボス１９ａに重ねつつ、延長用ボス１９１ａの根元側の端部１９１ｃをサイドカバー１９の突出部１９ｃと係合させる。
そして、この状態で、ネジ孔部１９１ｂを介し上部ボス１９ａにネジを螺入することで、上部ボス１９ａのボス高を実質的に延長した延長用ボス１９１ａがサイドカバー１９に設けられる。
次に、ボス部品１９１が取り付けられたサイドカバー１９を、カバー取付部１９２に取り付ける。
具体的には、まず、サイドカバー１９をカバー取付部１９２に配置する。
これにより、サイドカバー１９の下部ボス１９ｂの端面と、カバー取付部１９２の下部取付部１９２ｂの端面とが重なるとともに、サイドカバー１９の上部ボス１９ａに取り付けた延長用ボス１９１ａの先端側の端部１９１ｄの端面と、カバー取付部１９２の上部取付部１９２ａの端面とが重なる。
そして、この状態で、下部取付部１９２ｂのネジ穴を介し下部ボス１９ｂにネジを螺入するとともに、上部取付部１９２ａのネジ穴を介し延長用ボス１９１ａにネジを螺入することで、サイドカバー１９のカバー取付部１９２への取り付けが完了する。
【００８８】
このようなサイドカバー１９、ボス部品１９１、及びカバー取付部１９２によれば、サイドカバー１９を容易に着脱することができるため、配当表ユニット９を交換することなく、容易に、かつ、安価に、そのデザインの一部を変更することができる。
【００８９】
また、ボス部品１９１を用いることで、サイドカバー１９に設けるボスやカバー取付部１９２の構造部（上部取付部１９２ａ）の長さを短くすることができる。
このため、製造時に材料が成形収縮することによる窪み（いわゆるヒケ）の発生を抑制することができる。
すなわち、別部材のボス部品１９１を用いることで、サイドカバー１９やカバー取付部１９２における突出構造部に係る材料の量を減らすことで、窪みを抑えることができる。
ただし、単にボスなどの突出構造部を短くしただけでは、カバー取付部１９２の取付部（上部取付部１９２ａ）とボス（上部ボス１９ａ）との間隔が広がり、その間をつなぐ十分な長さのネジを別に準備する必要があり、余計な手間やコストが発生する。
これに対し、本実施形態の構成によれば、ボス部品１９１を加えることでボスの長さを延長するようにしているため、カバー取付部１９２の上部取付部１９２ａとサイドカバー１９の上部ボス１９ａとの間隔を、一般的なネジを用いて取り付けることができる。
【００９０】
なお、別部材のボス部品１９１は、下部ボス１９ｂと下部取付部１９２ｂとの取り付けに対して用いることもできる。
また、上述したサイドカバー１９やその取付構造は、配当表ユニット９の側部のカバー部材としてのみならず、上部演出ユニット８やリール部に対するカバー部材として適用することもできる。
【００９１】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００９２】
例えば、本実施形態では、本発明をスロットマシンに適用したがパチンコ（例えば、玉スロ）などその他の遊技機に適用することもできる。
また、メダル、遊技球等の現物の遊技媒体を用いることなく、データ形式の擬似遊技媒体を用いてゲームを実行可能な、いわゆる封入式遊技機にも、本発明を適用することができる。
また、演出装置における発光制御を副制御部２０により行う構成としたが、主制御部１０により制御する構成とすることもできる。
また、主基板１０ａは、複数枚から構成されていてもよい。
【符号の説明】
【００９３】
１  スロットマシン
１ａ  前扉
１ｂ  筐体
１ｄ  第１ボス
１ｅ  取付面
１０  主制御部
１０ａ  主基板
１０ｂ  状態ランプ
１１  上側扉部
１１１  支柱部
１２  下側扉部
１３  錠前
１６  設置部
１６１  開口部
１６２  第１壁部
１６３  設置面
１６４  ガイドレール
１６５  袋状部
１６９  開口部
１７  右側連結部材
１８  左側連結部材
１９  サイドカバー
１９ａ  上部ボス
１９ｂ  下部ボス
１９ｃ  突出部
１９１  ボス部品
１９１ａ  延長用ボス
１９１ｂ  ネジ穴部
１９１ｃ  根元側の端部
１９１ｄ  先端側の端部
１９２  サイドカバー部
１９２ａ  上部取付部
１９２ｂ  下部取付部
２  メダル投入口
２ａ  ベットボタン
２０  副制御部
２０ａ  副基板
２０ｂ  副基板ケース
３  スタートレバー
５  停止ボタン
６  表示窓
８  上部演出ユニット
８１  ユニット本体
８２  スピーカ
８３  スピーカカバー
８３ａ  第２壁部
８４  ユニット下面
８５  ガイド溝部
８６  突片
９  配当表ユニット
９１  リフレクタユニット
９１１  リフレクタ
９１１ａ  開放部
９１１ｂ  底部
９１１ｃ  係止孔
９１１ｅ  上部フック
９１１ｆ  下部フック
９１１ｇ  ガイド面
９１１ｈ  ガイド溝部
９１１ｉ  ネジ固定孔
９１２  ＬＥＤ基板
９１２ａ  ＬＥＤ
９１２ｂ  コネクタ
９１３  棒状レンズ
９２  透明板ユニット
９２１  前部透明板
９２１ａ  透明平面部
９２１ｂ  透明周縁部
９２２  配当表シート
９２２ａ  透光領域
９２２ｂ  非透光領域
９２３  後部透明板
９２３ａ  透明平面部
９２３ｂ  透明周縁部
９２３ｃ  爪部
Ｃａ  遮光領域
Ｃｂ  遮蔽部
ｋ  開口部
ｋ１  開口部
ｋ２  開口部
Ｓ  隙間
Ｓ１  隙間
Ｓ２  隙間
Ｔ  ヒンジ部材
Ｔｓ  スライド丁番
ｔ１  第１ヒンジ部材
ｔ２  第２ヒンジ部材
ｔ２１  上側取付部
ｔ２２  下側取付部
ｔ２３  凹状部
ｔ３  第３ヒンジ部材
ｔ３１  上部片
ｔ３２  ガイドレール
ｔ３３  第２ボス
ｔ３４  ネジ穴
【図１】
2018023444.tif 000003
【図２】
2018023444.tif 000004
【図３】
2018023444.tif 000005
【図４】
2018023444.tif 000006
【図５】
2018023444.tif 000007
【図６】
2018023444.tif 000008
【図７】
2018023444.tif 000009
【図８】
2018023444.tif 000010
【図９】
2018023444.tif 000011
【図１０】
2018023444.tif 000012
【図１１】
2018023444.tif 000013
【図１２】
2018023444.tif 000014
【図１３】
2018023444.tif 000015
【図１４】
2018023444.tif 000016
【図１５】
2018023444.tif 000017
【図１６】
2018023444.tif 000018
【図１７】
2018023444.tif 000019
【図１８】
2018023444.tif 000020
【図１９】
2018023444.tif 000021
【図２０】
2018023444.tif 000022
【図２１】
2018023444.tif 000023
【図２２】
2018023444.tif 000024
【図２３】
2018023444.tif 000025
【図２４】
2018023444.tif 000026
【図２５】
2018023444.tif 000027
【図２６】
2018023444.tif 000028
【図２７】
2018023444.tif 000029
【図２８】
2018023444.tif 000030
【図２９】
2018023444.tif 000031
【図３０】
2018023444.tif 000032
【図３１】
2018023444.tif 000033
【図３２】
2018023444.tif 000034
【図３３】
2018023444.tif 000035
【図３４】
2018023444.tif 000036
【図３５】
2018023444.tif 000037
【図３６】
2018023444.tif 000038
【図３７】
2018023444.tif 000039
【図３８】
2018023444.tif 000040
【図３９】
2018023444.tif 000041
【図４０】
2018023444.tif 000042